(57)【要約】【課題】ロックとそのロックの解除が簡単にできるロック構造体を提供する。【解決手段】本発明の一態様に係るロック構造体２０は、シリンダ２０１と、シリンダ２０１に挿通される棒状部材２０４と、シリンダ２０１の軸方向に沿って移動自在に嵌合され、テーパ部２６１を有するテーパ部材２１６と、テーパ部材２１６をテーパ部２６１の内径寸法が漸増する方向へ付勢支持する弾性体２１７と、テーパ部材２１６と棒状部材２０４との間の空間に収容されており、棒状部材２０４がテーパ部２６１の内径寸法が漸減する方向へ移動するに従ってテーパ部２６１に押圧され、収容空間の内壁に当接することで棒状部材２０４に荷重を加えるロック部材２１３とを有している。【選択図】図５
2008260446.tif 000002
【特許請求の範囲】
【請求項１】
シリンダと、
前記シリンダに挿通される棒状部材と、
前記シリンダに当該シリンダの軸方向に沿って移動自在に嵌合され、テーパ部を有するテーパ部材と、
前記テーパ部材を当該テーパ部の内径寸法が漸増する方向へ付勢支持する弾性体と、
前記テーパ部材と前記棒状部材との間の空間に収容されており、前記棒状部材が前記テーパ部の内径寸法が漸減する方向へ移動するに従って前記テーパ部に押圧され、前記収容空間の内壁に当接することで前記棒状部材に荷重を加えるロック部材と、
を有しているロック構造体。    
【請求項２】
前記シリンダは、前記シリンダに外嵌され、前記弾性体の前記テーパ部材と当接する側と反対側を支持し、当該シリンダの軸方向に沿って移動可能に配設された筒状部材を更に有する、
請求項１に記載のロック構造体。
【請求項３】
前記筒状部材は、前記シリンダに対してねじ構造を介して配設されている、
請求項２に記載のロック構造体。
【請求項４】
前記棒状部材は、大径部と小径部とを有しており、前記大径部が前記ロック部材と当接することにより、ロック状態となる、
請求項１、２または３に記載のロック構造体。
【請求項５】
テーパ部を有する第一部材と、
前記第一部材と対向して空間を形成し、前記第一部材に対して相対的に移動する第二部材と、
前記空間内に収容されており、前記第１部材及び第２部材の一方向への相対的移動に従って移動することで前記テーパ部によって押圧され、前記収容空間の内壁に当接することで前記一方向への前記第一部材及び第二部材の相対的移動に荷重を加えるロック部材と、
前記第一部材と前記第二部材とにおいて外側に位置する方の部材を、ロックがかかるときに前記外側に位置する方の部材が相対的に移動する方向と一致する方向に付勢支持する弾性体と、
を有するロック構造体。
【請求項６】
第一のシリンダと、
第二のシリンダと、
前記第一のシリンダおよび前記第二のシリンダに挿通される棒状部材と、
前記第一のシリンダに当該シリンダの軸方向に沿って移動自在に嵌合され、第一のテーパ部を有する第一のテーパ部材と、
前記第二のシリンダに当該シリンダの軸方向に沿って移動自在に嵌合され、第二のテーパ部を有する第二のテーパ部材と、
前記第一のテーパ部材と前記棒状部材との間の空間に収容されており、前記棒状部材が前記第一のテーパ部の内径寸法が漸減する方向へ移動するに従って前記第一のテーパ部に押圧され、前記収容空間の内壁に当接することで前記棒状部材に荷重を加える第一のロック部材と、
前記第一のロック部材を前記第一のテーパ部の内径寸法が漸増する方向へ押し込み、ロックを解除する第一のロック解除部材と、
前記第二のテーパ部材と前記棒状部材との間の空間に収容されており、前記棒状部材が前記第二のテーパ部の内径寸法が漸減する方向へ移動するに従って前記第二のテーパ部に押圧され、前記収容空間の内壁に当接することで前記棒状部材に荷重を加える第二のロック部材と、
前記第二のロック部材を前記第二のテーパ部の内径寸法が漸増する方向へ押し込み、ロックを解除する第二のロック解除部材と、
を有しており、
前記第一のテーパ部材と前記第二のテーパ部材とが、互いのテーパ部の内径寸法が漸増する方向側の端部同士を対向させて配設されているロック構造体。
【請求項７】
前記第一のテーパ部材と前記第二のテーパ部材とが、互いのテーパ部の内径寸法が漸増する方向側の端部同士を突き合わされて結合されている、
請求項６に記載のロック構造体。
【請求項８】
前記第一のロック解除部材を当該第一のロック解除部材が前記第一のロック部材を押し込む方向と反対方向へ付勢支持する第一の弾性体と、
前記第二のロック解除部材を当該第二のロック解除部材が前記第二のロック部材を押し込む方向と反対方向へ付勢支持する第二の弾性体と、を有する、
請求項６または７に記載のロック構造体。
【請求項９】
シリンダと、
前記シリンダに挿通される棒状部材と、
前記シリンダに当該シリンダの軸方向に沿って移動自在に嵌合され、テーパ部を有するテーパ部材と、
前記テーパ部材と前記棒状部材との間の空間に収容されており、前記棒状部材が前記テーパ部の内径寸法が漸減する方向へ移動するに従って前記テーパ部に押圧され、前記収容空間の内壁に当接することで前記棒状部材に荷重を加えるロック部材と、
前記ロック部材を前記テーパ部の内径寸法が漸増する方向へ押し込み、ロックを解除するロック解除部材と、
を有しているロック構造体。
【発明の詳細な説明】
【技術分野】
【０００１】
本発明はロック機構を有するロック構造体に関する。
【背景技術】
【０００２】
障害物が自動車のフード（ボンネット）に衝突した際の衝突エネルギを吸収することを目的として、自動車のフードを持ち上げる構造が提案されている。衝突時に、車両前端部を支点としてフードを持ち上げることにより、フードの裏側に空間を設ける。障害物がフードに衝突した際、フード裏側に設けられた空間の分、フードが裏側方向に変形可能となり、フードの変形による衝突エネルギの吸収量を向上させることができる。
【０００３】
この様なフード持ち上げ構造は、例えば特許文献１に記載されている。特許文献１によれば、フードはその後方において回動軸において車体に対して回動可能に係合されている。通常動作においては、フードは車体に対して回動して開く。衝突などの非常時には、アクチュエータが回動軸の係合されたリンクロッドを持ち上げることにより、フードの後方が持ち上がる。アクチュエータは、火薬等の爆発力によってシリンダからロッドが突出し、動力を発生する。
【特許文献１】特開２００４−２０３３７９号公報
【発明の開示】
【発明が解決しようとする課題】
【０００４】
フードの持ち上げによる衝撃緩和機構においては、フードの変形による衝撃の吸収に加えて、フードの沈み込みによっても衝撃を吸収することが重要である。フードに加わった衝撃に従って、フードを支えるアクチュエータのロッドがシリンダ内に戻ることにより、フードが沈むことによって衝撃を吸収する。これにより、更に衝撃吸収性能を高めることができる。
【０００５】
アクチュエータのロッドがシリンダ内に戻ることによって衝撃を緩和する機構を用いる場合、ロッドがシリンダ内に戻る際にロッドに加えられる荷重を調整することが重要となる。弱い力でロッドがシリンダ内に戻ってしまう場合、衝撃を十分吸収することなく、フードが元に戻ってしまうこととなる。一方、荷重が強すぎる場合、十分な衝撃吸収を実現することができない。また、安定した衝撃吸収性能を発揮するためには、ロッドがシリンダ内に戻る間、ロッドに対して略一定の荷重がかかるようにする必要がある。
【０００６】
このようにシリンダ内に戻るロッドに所望の荷重を加えるワンウェイ・ロック構造として、ボール・ロック機構が知られている。ボール・ロック機構はロッドとシリンダとの間に収容されているボールを有しており、ロッドがシリンダ内に戻る際に収容空間内の内壁に当接することによってロッドに荷重を加える。
【０００７】
ここで、一度動作したアクチュエータのワンウェイ・ロックを解除して、フードをもとの状態に戻すことが要求される場合がある。例えば、アクチュエータがなんらかの理由により誤動作した場合、アクチュエータのワンウェイ・ロックを解除してフードを元の状態に戻すことが要求される。さらに、このような状況において、できるだけ容易な方法及びシンプルな機構により、ロック解除を実現することが望ましい。
【０００８】
また、上記アクチュエータに限らず、所望の位置でロックすることができ、そのロックを簡単に解除できるロック構造体は色々な用途への応用が考えられる。
【０００９】
本発明においては、ロックとそのロックの解除が簡単にできるロック構造体を提供する。
【課題を解決するための手段】
【００１０】
本発明の一つの態様のロック構造体は、シリンダと、前記シリンダに挿通される棒状部材と、前記シリンダに当該シリンダの軸方向に沿って移動自在に嵌合され、テーパ部を有するテーパ部材と、前記テーパ部材を当該テーパ部の内径寸法が漸増する方向へ付勢支持する弾性体と、前記テーパ部材と前記棒状部材との間の空間に収容されており、前記棒状部材が前記テーパ部の内径寸法が漸減する方向へ移動するに従って前記テーパ部に押圧され、前記収容空間の内壁に当接することで前記棒状部材に荷重を加えるロック部材とを有している。この構成により、前記棒状部材が前記テーパ部の内径寸法が漸減する方向へ移動すると前記ロック部材によりロックがかかり、前記テーパ部材を前記弾性体の弾性力に抗して当該テーパ部の内径寸法が漸減する方向へ移動させることによって、前記ロック部材による荷重が外され容易にロックを解除することができる。
【００１１】
好ましい態様として、前記シリンダは、前記シリンダに外嵌され、前記弾性体の前記テーパ部材と当接する側と反対側を支持し、当該シリンダの軸方向に沿って移動可能に配設された筒状部材を更に有する。これにより、テーパ部材と筒状部材との間の距離を調整でき、これらの部材間に存在する弾性体にあらかじめ負荷をかけられ、当該弾性体の弾性力を調整することができる。
【００１２】
更に好ましくは、前記筒状部材は、前記シリンダに対してねじ構造を介して配設されている構成とする。これにより、筒状部材とテーパ部材との間の距離を当該筒状部材を回転させることで簡単に調整でき、容易に弾性体の弾性力を調整できる。
【００１３】
また更に、前記棒状部材は、大径部と小径部とを有しており、前記大径部が前記ロック部材と当接することにより、ロック状態となる構成にすることが好ましい。これにより、シンプルな構成で、任意の箇所でロックをかけることができる。
【００１４】
本発明の別な態様のロック構造体は、テーパ部を有する第一部材と、前記第一部材と対向して空間を形成し、前記第一部材に対して相対的に移動する第二部材と、前記空間内に収容されており、前記第１部材及び第２部材の一方向への相対的移動に従って移動することで前記テーパ部によって押圧され、前記収容空間の内壁に当接することで前記一方向への前記第一部材及び第二部材の相対的移動に荷重を加えるロック部材と、前記第一部材と前記第二部材とにおいて外側に位置する方の部材を、ロックがかかるときに前記外側に位置する方の部材が相対的に移動する方向と一致する方向に付勢支持する弾性体とを有する。この構成により、ロックとロックの解除を容易に行うことができる。
【００１５】
本発明の更に別な態様のロック構造体は、第一のシリンダと、第二のシリンダと、前記第一のシリンダおよび前記第二のシリンダに挿通される棒状部材と、前記第一のシリンダに当該シリンダの軸方向に沿って移動自在に嵌合され、第一のテーパ部を有する第一のテーパ部材と、前記第二のシリンダに当該シリンダの軸方向に沿って移動自在に嵌合され、第二のテーパ部を有する第二のテーパ部材と、前記第一のテーパ部材と前記棒状部材との間の空間に収容されており、前記棒状部材が前記第一のテーパ部の内径寸法が漸減する方向へ移動するに従って前記第一のテーパ部に押圧され、前記収容空間の内壁に当接することで前記棒状部材に荷重を加える第一のロック部材と、前記第一のロック部材を前記第一のテーパ部の内径寸法が漸増する方向へ押し込み、ロックを解除する第一のロック解除部材と、前記第二のテーパ部材と前記棒状部材との間の空間に収容されており、前記棒状部材が前記第二のテーパ部の内径寸法が漸減する方向へ移動するに従って前記第二のテーパ部に押圧され、前記収容空間の内壁に当接することで前記棒状部材に荷重を加える第二のロック部材と、前記第二のロック部材を前記第二のテーパ部の内径寸法が漸増する方向へ押し込み、ロックを解除する第二のロック解除部材とを有しており、前記第一のテーパ部材と前記第二のテーパ部材とが、互いのテーパ部の内径寸法が漸増する方向側の端部同士を対向させて配設されている。この構成により、一方向だけでなく、双方向のロックとそのロックの解除が容易にできる。
【００１６】
好ましくは、前記第一のテーパ部材と前記第二のテーパ部材とが、互いのテーパ部の内径寸法が漸増する方向側の端部同士を突き合わされて結合されている構成とする。これにより、シンプルな構造で無段階に位置調整をすることができる。
【００１７】
更に好ましくは、前記第一のロック解除部材を当該第一のロック解除部材が前記第一のロック部材を押し込む方向と反対方向へ付勢支持する第一の弾性体と、前記第二のロック解除部材を当該第二のロック解除部材が前記第二のロック部材を押し込む方向と反対方向へ付勢支持する第二の弾性体とを有する構成とする。これにより、ロックとロック解除動作が容易になる。
【００１８】
本発明のまた更に別な態様のロック構造体は、シリンダと、前記シリンダに挿通される棒状部材と、前記シリンダに当該シリンダの軸方向に沿って移動自在に嵌合され、テーパ部を有するテーパ部材と、前記テーパ部材と前記棒状部材との間の空間に収容されており、前記棒状部材が前記テーパ部の内径寸法が漸減する方向へ移動するに従って前記テーパ部に押圧され、前記収容空間の内壁に当接することで前記棒状部材に荷重を加えるロック部材と、前記ロック部材を前記テーパ部の内径寸法が漸増する方向へ押し込み、ロックを解除するロック解除部材とを有している。この構成により、ロックとロック解除が容易に行える。
【発明の効果】
【００１９】
本発明によりロック機構を有するロック構造体のロックを解除することができる。
【発明を実施するための最良の形態】
【００２０】
以下に、本発明を適用可能な実施の形態を説明する。説明の明確化のため以下の記載及び図面は、適宜、省略及び簡略化がなされている。又、各図面において、同一要素には同一の符号が付されており、必要に応じて重複説明は省略されている。
【００２１】
まず、第一の好ましい形態として、自動車のフード後端部を持ち上げるアクチュエータに本発明のロック構造体を適用した場合について説明する。本形態のアクチュエータはワンウェイ・ロック機構を有し、そのロックを解除する機構に特徴を有する。
【００２２】
図１は本実施形態に係るアクチュエータ２００によってフード１０１の後端部が持ち上げられた状態の自動車１００を模式的に示す斜視図である。本実施形態に係る自動車１００は、フロントガラス１０２の前方にエンジンルーム１０３が設けられている。エンジンルーム１０３の上にはフード１０１が設けられており、通常時はフード１０１によってエンジンルーム１０３が覆い隠されている。
【００２３】
車体に設けられた衝突検知装置１０４が衝突を検知すると、アクチュエータ２００が動作し、図１に示すようにフード１０１のフロントガラス１０２側である後端部を持ち上げる。これにより、フード１０１とエンジンルーム１０３との間に空間が形成され、この空間の分、フード１０１が変形および移動可能となる。フード１０１に対象物が衝突した際、フード１０１が変形および移動することにより、対象物に対する衝撃を低減することができる。図１に示すように、本実施形態においては２つのアクチュエータ２００が設けられており、アクチュエータ２００の突出するロッドの先端部（ヘッド）とフード１０１とは係合している。
【００２４】
次に、図２、図３を用いて本実施形態に係るアクチュエータ２００の全体構造及び動作について説明する。図２は、本実施形態に係るアクチュエータ２００の動作前の状態を示す断面図である。アクチュエータ２００は多段式アクチュエータであり、内側から第１シリンダ２０１、第２シリンダ２０２、第３シリンダ２０３、ロッド２０４を有している。アクチュエータ２００はさらに、ヘッド２０５、ガス発生器２０６及びガス噴出空間２０７を有する。本形態のアクチュエータ２００はワンウェイ・ロック機構及びその解除機構を有しているが、ヘッド２０５は、アクチュエータ２００の動作前において、ロック機構及びその解除機構を覆っている。このため、ロック解除機構が徒に触れられることを防止することができる。ロック機構については後に詳述する。
【００２５】
ガス発生器２０６は、図１に示す衝突検知装置１０４と接続されており、車両に設けられた衝突検知装置１０４が衝突を検知すると、衝突検知装置１０４から入力された電気信号に従ってガス噴出空間２０７にガスを噴出する。ガス発生器２０６がガスを噴出し、ガス噴出空間２０７の圧力が上昇することにより、図３に示すように、ロッド２０４及び第１シリンダ２０１、第２シリンダ２０２が持ち上げられ、ヘッド２０５が上昇する。ヘッド２０５はフード１０１と係合しており、ヘッド２０５が上昇することにより、図１に示すようにアクチュエータ２００がフード１０１の後端部を持ち上げる。多段式アクチュエータであるので、第１シリンダ２０１及び第２シリンダ２０２は、それぞれシリンダから突出する棒状部材であると同時に棒状部材を収容するシリンダでもある。
【００２６】
各シリンダ２０１〜２０３は、その突端側（各部材が突出する側）にワンウェイ・ロック機構であるボール・ロック機構を有している。具体的には、各シリンダ２０１〜２０３の突端には、内周面にテーパ部が形成されているテーパ部材２１６が設けられている。本形態はこのテーパ部材２１６に特徴を有する。この点については後に詳述する。
【００２７】
第１シリンダ２０１とロッド２０４との間、第２シリンダ２０２と第１シリンダ２０１との間、そして第３シリンダ２０３と第２シリンダ２０２との間のそれぞれにおいて、テーパ部材２１６が周囲を囲む空間内に、ロック・ボール２１３が収容されている。また、各空間内には、ラバー・リング２１４が設けられている。各シリンダ２０１〜２０３の開口突端側には押し付けリング２１５がシリンダ２０１〜２０３内に係止されており、ラバー・リング２１４を空間内に押圧している。
【００２８】
各段のロック・ボール２１３は、各シリンダ２０２、２０３、２０１からそれぞれ突出したシリンダ２０１、２０２及びロッド２０４が、対応するシリンダ２０２、２０３、２０１内に押し戻される際に減速荷重を加える。ラバー・リング２１４は、図４に示すような構造を有している。ラバー・リング２１４は、図４に示すように、弾性を有するリング状の部材であって、その片側に複数の切り欠き２１４ａが形成されている。
【００２９】
各切り欠き２１４ａ内にロック・ボール２１３が位置する。夫々の切り欠き２１４ａは、ラバー・リング２１４の一周に亘って互いに等間隔で形成される。図４の例においては、ラバー・リング２１４は５つの切り欠き２１４ａを有し、各切り欠き２１４ａに対応した５つのロック・ボール２１３が例示されている。切り欠き２１４ａ内にロック・ボール２１３を配置することで、ロック・ボール２１３の円周方向における移動を規制して、ロック・ボール２１３が適正に減速荷重を与えるように所定位置に保持する。
【００３０】
図５は、筒状の第1シリンダ２０１とロッド２０４との間に形成されているボール・ロック機構を有する第一のロック構造体２０の詳細を示す図である。他のシリンダ２０２、２０３のボール・ロック機構も同様の構造を有している。本形態のボール・ロック機構は、そのロックを解除することができる。図５は、ロッド２０４が、テーパ部２６１の内径寸法が漸減する方向、つまり、この図においてはロッド２０４が第１シリンダ２０１内に戻る方向に移動して、ロッド２０４がロックされている状態を示しており、図６は、ボール・ロック機構のロックが解除された状態を示している。
【００３１】
閉じたリング状のテーパ部材２１６とロッド２０４が対向して形成された空間内にロック・ボール２１３が収容されている。金属により形成されたテーパ部材２１６は、テーパ部２６１、テーパ部２６１よりも突端側（先端側）、つまり、テーパ部の内径寸法が漸増する方向側に位置するストレート部２６２、そして、その先端の塑性変形された塑性部２６３を有している。塑性部２６３はかしめによって内側に塑性変形されており、押し付けリング２１５を固定している。ストレート部２６２は内径がほぼ一定である。ストレート部２６２の反先端側に連続するテーパ部２６１は、先端側から反先端側に向かってその内径寸法が漸減している。従って、収容空間内においてテーパ部２６１の内径のうちもっとも広い径とストレート部２６２の内径とは略等しい。
【００３２】
押し付けリング２１５は、ラバー・リング２１４を反突出側に押圧している。ロッド２０４は、押し付けリング２１５およびラバー・リング２１４を貫通している。ロッド２０４の断面は、第１シリンダ２０１の円形の開口形状と略相似形状であって、その外径は押し付けリング２１５の内径およびラバー・リング２１４の内径と略等しい。ロック・ボール２１３は、ラバー・リング２１４、テーパ部２６１およびロッド２０４によって挟持される。ラバー・リング２１４は、ロック・ボール２１３を弾性力によってテーパ部２６１に押し付けている。
【００３３】
ロッド２０４外周面とストレート部２６２との間隔は、ロック・ボール２１３の直径よりも広い。また、ロッド２０４外周面とテーパ部２６１の反突端側部分との間隔は、ロック・ボール２１３の直径よりも狭い。ロック・ボール２１３は夫々の切り欠き２１４ａに収容され、テーパ部２６１に当接し、ロッド２０４とテーパ部２６１との間で挟持される。具体的には、テーパ部２６１の内径が第１シリンダ２０１の奥側に向かって徐々に狭くなっていくことで、テーパ部２６１とロッド２０４との間隔が狭くなっていき、その間隔がある地点でロック・ボール２１３の直径よりも狭くなる。その地点よりも奥側が減速空間である。ロック・ボール２１３は、テーパ部２６１とロッド２０４との両方に当接する地点において、テーパ部２６１とそれに対向するロッド２０４との間で挟持される。
【００３４】
球形のロック・ボール２１３は、ロッド２０４の外周に沿って配置され、ロッド２０４（及びテーパ部材２１６）に食い込むことにより、ロッド２０４に減速荷重を加える。従って、ロック・ボール２１３はロッド２０４よりも強度の高い部材で形成される。ロック・ボール２１３は、ロッド２０４とテーパ部２６１との間の空間、即ち、ロッド２０４とテーパ部２６１との間隔がロック・ボール２１３の直径よりも狭い空間において、その荷重性能（ロック性能）を発揮する。
【００３５】
テーパ部材２１６、ロッド２０４は夫々金属材料で形成されている。上述した通り、ロック・ボール２１３は、テーパ部２６１とロッド２０４とで挟持され、ロッド２０４に減速荷重を加える場合は、ロッド２０４に食い込む。従って、ロッド２０４はロック・ボール２１３よりも強度の低い金属で形成されている。また、ロック・ボール２１３がテーパ部２６１、即ちテーパ部材２１６の内壁側よりもロッド２０４に主に食い込むようにするため、テーパ部材２１６はロッド２０４よりも強度の高い金属で形成されている。
【００３６】
ボール・ロック機構の動作についてより詳細に説明する。ロッド２０４が第１シリンダ２０１に収納された状態からアクチュエータ２００が作動すると、ロッド２０４が第１シリンダ２０１（テーパ部材２１６）に対して相対的に移動し、第１シリンダ２０１の外部へ向かって突出する。ロッド２０４とテーパ部２６１との間で挟持されたロック・ボール２１３が突端側に向かって回転する。ロッド２０４が第１シリンダ２０１から飛び出す間は、ロック・ボール２１３はロッド２０４に対してほとんど荷重を加えない。
【００３７】
図３に示すように、ロッド２０４が第１シリンダ２０１から完全に突出した状態でロッド２０１が自重もしくはヘッド２０５、フード１０１の重さ等の作用により第１シリンダ２０１の奥側へ戻るように移動すると、ロッド２０４とテーパ部２６１との相対的な移動に伴い、ロック・ボール２１３は、テーパ部２６１のテーパ面上を、その内径が狭くなる方向、即ち、奥側に向かって回転して移動する。
【００３８】
この時、図５に示すように、ロック・ボール２１３は、テーパ部２６１の内壁とそれに対向するロッド２０４との間隔が狭い方向に移動し、テーパ部２６１のテーパ面によってロッド２０４に押しつけられる。これにより、ロック・ボール２１３は、それを収容する空間の内壁の一部を形成するロッド２０４に食い込む。これにより、ロック・ボール２１３はロッド２０４に対して荷重を加え、ワンウェイ・ロック機構、即ちロッド２０４が第１シリンダ２０１から突出する方向にはロックされず、第１シリンダ２０１の内部に戻る方向にはロックされる機構が実現される。このような作用により、ロッド２０４の第１シリンダ２０１の奥側に向かう移動速度を減速させることができる。また、ロック・ボール２１３が停止した状態で、ロッド２０４に対して過重を加えることにより、ロッド２０４に略一定の荷重を加える。
【００３９】
本形態のボール・ロック機構は、ロック解除機構を有している点に特徴を有している。図５に示すように、テーパ部材２１６は、第１シリンダ２０１の外周面に第一シリンダ２０１の軸方向に沿って移動自在に嵌合されている。図５の例において、テーパ部材２１６の反突出側端２６７と第１シリンダ２０１の外面に設けられた段差面２６８との間にバネ２１７が配設されている。このバネ２１７により、テーパ部材２１６は、その下端からロッド２０４の突出方向へ付勢支持されている。つまり、テーパ部材２１６は、そのテーパ部２６１の内径寸法が漸増する方向へ付勢されている。
【００４０】
本形態においては、第１シリンダ２０１と別部材として形成されたテーパ部材２１６をテーパ部２６１の内径寸法が漸減する方向へ、バネ２１７の弾性力に抗して押し込むことによって、テーパ部材２１６を第１シリンダ２０１及びロッド２０４に対して相対的に移動することができる。つまり、図５に示したロック状態において、テーパ部材２１６を矢印A方向へ押すことによって、テーパ部材２１６は、図６の状態となる。この状態において、ボール・ロックが解除されている。
【００４１】
より具体的に説明する。図５の例においては、ロック・ボール２１３は、収容空間内において、収容空間内の反突端側の谷底面２６６と離間している。図５の例においては、谷底面２６６は第１シリンダ２０１の先端となっている。テーパ部材２１６は第１シリンダ２０１に移動自在に嵌合されているので、谷底面２６６とテーパ部材２１６のテーパ部２６１の相対距離は可変である。ロック解除においては、テーパ部材２１６を谷底面２６６に向かって押し込む。
【００４２】
テーパ部材２１６がロッド２０４及び第１シリンダ２０１に対して、突出方向と反対側（反突出方向）に相対的に移動すると、押し付けリング２１５がテーパ部材２１６と共に反突出方向に移動する。押し付けリング２１５に押圧されることで、ラバー・リング２１４及びロック・ボール２１３も谷底面２６６に向かって移動する。その後、ロック・ボール２１３は谷底面２６６にぶつかり停止する。この状態から、テーパ部材２１６はさらに反突出側に移動することができる。
【００４３】
この移動に従って弾性体であるラバー・リング２１４がつぶれ、停止しているロック・ボール２１３に対してテーパ部材２１６が相対的に谷底面２６６に向かって移動する。つまり、ロック・ボール２１３は、テーパ部材２１６に対して、テーパ部２６１からストレート部２６２に向かって相対的に移動する。ロック・ボール２１３は、テーパ部材２１６の内径が大きくなる方向に移動することになり、ロックが解除される。
【００４４】
ボール・ロック機構は、被ロック部材(ロッド２０４)との摩擦によってロック・ボール２１３がテーパ部２６１のテーパ面によって押し付けられることで、その圧力により、ロック・ボール２１３が被ロック部材(ロッド２０４)に食い込み、作動位置でロックさせる。従って、上述のようにテーパ部材２１６をシリンダ２０１と別部材とし、テーパ部２６１の奥に設ける谷底面２６６に近づけることで、テーパ部２６１とロッド２０４との間で内壁に噛み込んだロック・ボール２１３を谷底面２６６がテーパ間口(大口径方向)へ押し上げ、ロック・ボール２１３の食い込みを無くしてロックが解除される。
【００４５】
テーパ部材２１６を、第１シリンダ２０１に移動自在に嵌合し、バネ２１７により付勢支持することによって、ロック状態においては、テーパ部材２１６を所定位置で係止することができる。そして、ロック解除するときにおいては、バネ２１７の弾性力に抗してテーパ部材２１６を谷底面２６６の方向へ押し込むことができ、それにより、テーパ部材２１６を解除位置へ移動させることができる。ここで、テーパ部２６１と谷底面２６６とは、ロック・ボール２１３がテーパ部２６１とロッド２０４との間で内壁に食い込むために十分な距離を有することが重要である。また、ボール・ロックを解除するため、テーパ部材２１６は、ロック・ボール２１３を停止するストッパである谷底面２６６に対して、十分な距離を移動できることが重要である。
【００４６】
図５の例においては、テーパ部材２１６のテーパ部下端面２６９と第１シリンダ２０１のテーパ部材２１６の嵌合部に設けられた段差面２７０との間の距離が、テーパ部材２１６の移動距離を規定する。
【００４７】
また、本形態においては、テーパ部材２１６をバネ２１７により付勢支持しているので、ロック状態において、ロッド２０４にバネ２１７の弾性力より大きな力が加えたれた場合、バネ２１７は圧縮される。それにともない、テーパ部材２１６が矢印Ａ方向に移動しロックが解除される。このように、第一のロック構造体２０は、ある一定以上の荷重が加わっても、自動的にロックが解除されるので、ロック構造体あるいは当該ロック構造体を含むシステムが破壊されるようなある一定以上の荷重が加わった場合でも、これらが破壊されることを防止することができる。つまり、一種の安全装置としての機能も有している。
【００４８】
本形態の第一のロック構造体２０のロック力の上限値は、テーパ部材２１６を付勢支持するバネ２１７の弾性力により決まるため、弾性力の異なるバネを適宜選択して採用することによりロック力の上限値を調整することができる。
【００４９】
次に、別の好ましい形態のロック構造体について以下に説明する。
図７は、別の形態である第二のロック構造体２１を示す。ここで、第二のロック構造体２１は、第一のロック構造体２０と同様のボール・ロック機構を備えているので、ボール・ロック機構部分の説明は省略する。第二のロック構造体２１は、バネ２１７を支持する支持部材２１８を有している。支持部材２１８は、シリンダ２０１に外嵌され、バネ２１７を挟んでテーパ部材２１６と対向する位置に配設される筒状部材である。支持部材２１８は、その内周面に雌ねじ構造２１８ａを有している。そして、シリンダ２０１は、その外周面に雄ねじ構造２０１ａを有しており、この雄ねじ構造２０１ａの部分に支持部材２１８の雌ねじ構造２１８ａが螺合する。支持部材２１８を回転することによって、支持部材２１８がねじ構造に従って、シリンダ２０１の軸方向に沿って移動可能となる。これにより、テーパ部材２１６と支持部材２１８との間の距離を調整することが可能となる。従って、支持部材２１８の位置を調整してバネ２１７の圧縮量を調整することによりバネ２１７の弾性力を調整することができる。
【００５０】
この形態によれば、バネ自体を取り替えるのではなく、支持部材２１８とテーパ部材２１６との間の距離を調整するだけでバネの弾性力を調整することができる。
なお、支持部材２１８が、外力によりねじこまれることが懸念される場合は、支持部材２１８とシリンダ２０１にピンを打ち込む、もしくはカシメ等の方法で回転を止める、あるいはネジ・ロック等の方法で回転をとめても良い。
【００５１】
また、第二のロック構造体２１においては、ロッド２０８は、段付ロッドとなっている。つまり、外径寸法が大きい部分（大径部２０８ａ）と外径寸法が小さい部分（小径部２０８ｂ）とを有しいている。
ロッド２０８において、大径部２０８ａは、シリンダ２０１から突出した側に設けられており、小径部２０８ｂは、その反対方向に連続して設けられている。
【００５２】
大径部２０８ａの外径寸法は、ロッド２０８が、シリンダ２０１内へ押し込まれた際に、ボール・ロック機構のボール２１３と当接する寸法に設定される。一方、小径部２０８ｂの外径寸法は、大径部２０８ａの外径寸法より僅かに小さく設定し、ボール・ロック機構の部分をロックされずに通過できるようにする。
【００５３】
次に、第二のロック構造体２１の動作について説明する。第二のロック構造体２１は、ロッド２０８を押し込んでいく動作において、途中のある箇所で一旦ロックすることが可能である。例えば、図７に示すように、ロッド２０８が矢印Ａ方向へ移動すると、ボール・ロック機構の部分においては、小径部２０８ｂが通過するので、ロックはかからない。次いで、図8に示すように、大径部２０８ａがボール・ロック機構の部分に差し掛かると、大径部２０８ａとボール２１３とが当接し、ロックがかかる。このように、小径部２０８ｂが通過し始めてから大径部２０８ａがボール２１３と当接してロックがかかるまでの区間を第一ストロークとする。この第一ストロークでは、もともとの部材間で生じる摩擦にしたがって、ロッド２０８は矢印Ａ方向へ移動する。つまり、比較的小さな押し込み力でロッドを押し込むことができる。
【００５４】
更にロッド２０８を押し込むと、図９に示すように、ロック状態のままテーパ部材２１６がバネ２１７を圧縮して矢印Ａ方向へ移動する。このとき、バネ２１７の弾性力がロッドの押し込み力に対する抗力となるため、押し込み力は上昇する。そのまま押し込み力を上昇させていきロッドを押し込み続けると、ロックが解除される部分に到達する。このように一旦ロックがかかってからそのロックが解除される位置までの区間を第二ストロークとする。
【００５５】
また更にロッド２０８を押し込んでいくと、ボール・ロックの解除とロックを繰り返しながらロッド２０８は押し込まれていく。つまり、ボール・ロックが解除されるとバネ２１７が復元し、テーパ部材２１６が元の位置に戻る。すると、またボール・ロックがかかる。そしてまたバネ２１７が圧縮されてボール・ロックが解除されるという動作を繰り返し、押し込み力が上がったままロッドは押し込まれていく。そして、最終的には、ロッド２０８は突き当たりまで押し込まれて停止する。この区間を第三ストロークとする。
【００５６】
この第二のロック構造体２１は、ロッドが途中の箇所で、一旦ロックされるところに特徴がある。前記第二ストロークの途中でロッドの押し込み操作を中止すると、バネ２１７の復元力により、最初にロックされた箇所に戻る。つまり、第二のロック構造体２１は、所望のロック位置のいわゆるメモリー機能をもっている。
【００５７】
このようなロッドのストローク操作の途中において一旦ロックできるロック構造体２１を適用した例として、レバー式の水道蛇口について説明する。
レバー式の水道蛇口は、レバー操作により水量をコントロールする。図１０は、レバー式水道蛇口の構造を模式的に示している。ここで、水道蛇口は、図１０（ａ）に示すように、操作レバー３０が斜め上に上げられており流量調整ロッド３１がロック構造体２１から上方に突出している状態にあるときは、水が止められており、流量はゼロとする。また、図１０（ｃ）に示すように、操作レバー３０が下げられ、流量調整ロッド３１が突き当たりまで押し込まれた状態にあるとき流量は最大とする。
【００５８】
まず、図１０（ａ）に示すように、水が止められた状態から、操作レバー３０を下げていく。このとき、第一ストロークに該当し、ロック構造体２１に流量調整ロッド３１が押し込まれていくが、ボール・ロック機構の部分をロッドの小径部が通過しているので、部材間の摩擦のみの比較的低い押し込み力でレバー操作ができる。次いで、図１０（ｂ）に示すように、更に操作レバー３０を下げていくと、ボール・ロック機構の部分にロッドの大径部２０８ａが差し掛かかり、ロックがかかる。つまり、第二ストロークに突入する。このとき、ロック位置が、普段よく使用する流量となるレバー位置になるように、ロッドの大径部の位置を調整しておくことにより、レバー操作を普段よく使用する流量位置で一旦止めることができる。
【００５９】
また、大量に水が必要な場合もあるので、その場合は、図１０（ｃ）に示すように、更に操作レバー３０を押し込み、最大流量の水を出す。このとき、ロック構造体２１では、ロック状態から更に強い力で押し込むことにより、第三ストロークに突入させロッドを突き当りまで押し込む。
【００６０】
一般的なレバー式水道蛇口では、このようなロック構造体２１を備えていないので、所望の流量を得るためには、操作者がレバーを微調整して適当な位置でレバーを止めている。本形態のロック構造体２１を備えるレバー式水道蛇口であれば、比較的低い押し込み力、つまり軽い操作力でレバーを操作していくと、普段よく使用する流量となるレバー位置で一旦ロックをかけることができ、微調整の手間を省いて所望の流量を得ることができる。本形態のロック構造体２１においては、ロッドの段差位置、つまりロッドの大径部の位置とロック構造体の位置を調整することで、簡単に好みの流量を得ることができる。また、バネの弾性力を調整することにより、使用するユーザーの力に見合った操作力に調整できる。
【００６１】
次に、更に別の形態のロック構造体について以下に説明する。
図１１は、別の形態である第三のロック構造体２２を示す。ここで、第三のロック構造体２２は、第一のシリンダ２２１と、第一のテーパ部材２２２と、第二のシリンダ２２３と、第二のテーパ部材２２４と、ロック・ボール２１３とを備えている。
【００６２】
第一のシリンダ２２１は、ロッド２０９が挿通される筒状部材である。第一のシリンダ２２１には、その軸方向に沿って移動自在に第一のテーパ部材２２２が嵌合されている。第一のシリンダ２２１の外周にはバネ２２５が外嵌されており、当該バネ２２５の一方は第一のシリンダ２２１のロッド突出端に設けられたフランジ２２１ａに支持され、他方は第一のテーパ部材２２２に当接している。これにより、第一のシリンダ２２１は、第一のテーパ部材２２２から突出する方向に付勢支持されている。
第一のテーパ部材２２２は、第一のシリンダ２２１と同軸の筒状部材であり、その内周面にテーパ部２２２ａを有している。前記テーパ部２２２ａの内径寸法が漸減する方向側に第一のシリンダ２２１が位置している。第一のテーパ部材２２２のテーパ部の内径寸法が漸増する方向側端部の外周面には、雄ねじ２２２ｂが刻設されている。
【００６３】
第二のシリンダ２２３は、第一のシリンダ２２１と同形状である。そして、第二のシリンダ２２３は、第二のテーパ部材２２４から突出する方向に付勢支持されている。
第二のテーパ部材２２４は、第二のシリンダ２２３と同軸の筒状部材であり、その内周面にテーパ部２２４ａを有している。前記テーパ部２２４ａの内径寸法が漸減する方向側に第二のシリンダ２２３が位置している。第二のテーパ部材のテーパ部の内径寸法が漸増する方向側端部の内周面には、雌ねじ２２４ｂが刻設されている。
【００６４】
第一のテーパ部材２２２と第二のテーパ部材２２４とは、互いのテーパ部内径寸法が漸増する側の開口端が突き合わされ、それぞれの雄ねじ２２２ｂと雌ねじ２２４ｂとが螺合することにより、一体化される。このとき、第一のテーパ部２２２ａと第二のテーパ部２２４ａの内周面とロッド２０９の外周面により空間が形成される。当該空間の第一のテーパ部材側、および第二のテーパ部材側には、所定個数のロック・ボール２１３がそれぞれ配設される。ここで、ロック・ボールはラバー・リング２２６により、所定位置に保持される。
【００６５】
なお、本形態においては、第一のシリンダ２２１と第二のシリンダ２２３とは、第一のテーパ部材２２２と第二のテーパ部材２２４とに押し込まれることにより、ロックを解除する働きもする。つまり、第一のシリンダ２２１は、第一のロック解除部材でもあり、第二のシリンダ２２３は、第二のロック解除部材でもある。
【００６６】
以上のような構造の第三のロック構造体２２の動作について以下に説明する。
第三のロック構造体２２は、ボール・ロック機構を二つ、互いのテーパ部の内径寸法が漸増する方向側の開口部同士を突き合わせた形状をしている。そして、図１１に示すように、通常状態では、ラバー・リング２２６によりロック・ボール２１３がそれぞれロック状態の位置に保持されている。このため、内部に挿通されたロッド２０９は、ロックされており、第三のロック構造体２２から抜き差しできない状態にある。つまり、矢印Ａ方向にロッド２０９を移動しようとすると、第二のテーパ部材２２４側のロック・ボール２１３によりロックがかかり、矢印Ｂ方向にロッド２０９を移動しようとすると、第一のテーパ部材２２２側のロック・ボール２１３によりロックがかかる。
【００６７】
ここで、図１２に示すように、第二のシリンダ２２３を矢印Ｂ方向へ押し込むと、第二のテーパ部材２２４側のロック・ボール２１３のロックが解除され、ロッドを矢印Ａ方向へ移動することができる。換言すれば、第三のロック構造体２２を矢印Ｂ方向へ移動できる。また、逆に第一のシリンダ２２１を矢印Ａ方向へ押し込めば、第一のテーパ部材２２２側のロック・ボール２１３によるロックを解除でき、第三のロック構造体２２を矢印Ａ方向へ移動できる。そして、第一のシリンダ２２１と第二のシリンダ２２３を両方とも押し込めば、ロッドは矢印Ａ、Ｂ双方向に移動させることができる。換言すれば、第三のロック構造体２２を双方向に移動できる。
このように、第三のロック構造体２２は、ロッド２０９に対し、その軸方向の双方に移動できるとともに、所望位置でロックをかけることができる。
【００６８】
この第三のロック構造体２２を適用した例を以下に説明する。
まず、図１３に示すように、第三のロック構造体２２にロック解除レバー２２７を装着する。ここで、ロック解除レバー２２７は、第三のロック構造体２２の両端から第一のシリンダ２２１と第二のシリンダ２２３とを同時に押し込めるように、一方側２２７ａで第三のロック構造体２２を軸方向に挟持するＸ字状に組み合わされたアーム部材である。図１４に示すように、このロック解除レバー２２７のアームの他方側２２７ｂを矢印Ｃ、Ｄ方向に力を加え操作することにより、第一のシリンダ２２１と第二のシリンダ２２３とがそれぞれ第一のテーパ部材２２２および第二のテーパ部材２２４内に押し込まれロックを解除できる。ここで、当該他方側２２７ｂのアームに遠隔操作用のワイヤーを取り付け、当該ワイヤーを操作することにより、ロック構造体２２のロックとロック解除を遠隔操作することもできる。
【００６９】
このようなロック解除レバー２２７を装着した第三のロック構造体２２は、例えば、車両用シートのリクライニング装置に適用することができる。図１５に示すように、座面フレーム４０の後端部４０ａに回動自在にリクライニングロッド４１を装着する。また、当該座面フレームの後端部４０ａにおける前記リクライニングロッド４１の装着部よりも前方側にシートバックフレーム４２の下端４２ａを回動自在に取り付ける。そして、シートバックフレーム４２の所定位置に本形態のロック構造体２２を装着し、前記リクライニングロッド４１を当該ロック構造体２２に挿通する。
【００７０】
また、別な例として、図１６に示すように、シートバックフレーム４２の下端４２ａにリクライニングロッド４１を回動自在に装着する。シートバックフレーム４２の下端部４２ａにおける、前記リクライニングロッド４１の装着箇所よりも上方において、シートバックフレーム４２を回動自在に座面フレーム４０に装着する。そして、本形態のロック構造体２２を座面フレームの所定位置に装着し、前記リクライニングロッド４１を当該ロック構造体に挿通する。
【００７１】
以上のような構成をとることにより、本形態のロック構造体２２は、ロックを解除することにより、図１５（ｂ）または図１６（ｂ）に示すように、シートバック４２を任意の角度に調整することができる。そして所望のリクライニング箇所でロックをかけることができる。本形態のロック構造体により、安価で無段階調整可能なリクライニング装置を提供することができる。
【００７２】
更に別な適用例として、第三のロック構造体２２を車両用シートスライドのロック機構にも適用することができる。この場合、シートスライドにおける車体に固定される側のロアレールにガイドロッドを配設する。そして、ロアレール上を摺動するアッパレールに本形態のロック構造体２２を装着し、当該ロック構造体２２に前記ガイドロッドを挿通させる。この構成により、本形態のロック構造体２２のロックを解除することにより、アッパレールを任意の位置に摺動でき、シートをスライドさせることができる。そして、所望位置にてロックをかけることによりシートを所望位置に固定できる。本形態のロック構造体により、安価で無段階調整可能なシートスライドロック機構を提供できる。
【００７３】
以上、本発明を好ましい実施形態を例として説明したが、本発明が上記の実施形態に限定されるものではない。当業者であれば、上記の実施形態の各要素を、本発明の範囲において容易に変更、追加することが可能である。例えば、上記ボール・ロック機構においてラバー・リングを使用することが好ましいが、これを省略してもよい。あるいは、弾性体でなく剛体を用いてロック・ボールを減速空間の入り口に押し付けても良い。ロック・ボールは複数使用して荷重値を調整することが好ましいが、その個数は1個であってもよい。減速荷重を加えるロック部材としてロック・ボールが好ましいが、球状部材と異なるものを使用することも考えられる。
【００７４】
シリンダは円筒ではなく、開口部が四角形等の多角形である筒であっても良く、ラバー・リングはその開口部と略相似形である環状の構造体であっても良い。ロッドについても同様である。ここで、環状とは円形に限られず多角形等も含む。
【００７５】
多段式シリンダにおいては、各ボール・ロック機構もしくは一部のボール・ロック機構に本発明の解除機構を適用することができる。上述の例は、テーパ部材が外周側シリンダに固定されて内周側のロッドもしくはシリンダとの摩擦によりロックするが、テーパ部材を内周側の突出部に固定し外周側のシリンダとの摩擦によりロックする構造に本発明を適用することもできる。このような場合、テーパ部材ではなく、その外周側の部材を相対移動することでロック解除するようにすればよい。また、本発明は自動車のフードのアクチュエータに特に好適であるが、他の用途に本発明を適用してもよい。
【００７６】
本発明に係る各形態において、弾性体としてバネを用いたが、これに限定されるものではなく、弾性体としてゴムを用いても構わない。
本形態に係る第一のロック構造体および第二のロック構造体において、シリンダ内へロッドが押し込まれていくときにロックがかかり、テーパ部材はロッドが押し込まれる方向と逆方向へバネにより圧縮力をかけられているが、本発明はこれに限定されるものではない。例えば、シリンダからロッドが抜き出されるときにロックがかかる構成としてもよく、このとき、テーパ部材はバネにより、引張り力をかけられるように付勢支持される構成とする。本発明において、付勢支持とは、圧縮力をもって支持する場合と引張り力をもって支持する場合の双方を含む。
【００７７】
また、本形態の第二のロック構造体においては、バネを支持する支持部材としてシリンダの外周にねじ構造を介して配設された筒状部材を用いたが、本発明はこれに限定されるものではない。例えば、第一のロック構造体のように、シリンダの外周に段差を設け、そこで支持するのは勿論のこと、シリンダにピンをはめ込む、Ｃリング、Ｅリングを所定箇所に配設して、バネを支持する等の構成としてもよい。このとき、ピン、Ｃリング、Ｅリングをはめ込む凹部をシリンダの所定位置にあらかじめ数箇所設けておくことにより、バネの弾性力を調整することができる。
【００７８】
また、本形態の第一のロック構造体および第二のロック構造体においては、シリンダ側のテーパ部材にテーパを設けた構成を採用しているが、本発明はこれに限定されるものではなく、テーパ部をロッド側に設けてもよい。つまり、本形態では、外側の部材にテーパ部を設けているが、内側の部材にテーパ部を設けてもよい。
【００７９】
また、本形態の第三のロック構造体においては、第一のテーパ部材と第二のテーパ部材とが、その開口端が突き合わされてねじ構造により一体化されている構成を採用しているが、本発明はこの態様に限定されるものではない。例えば、第一のテーパ部材側のロック構造体と、第二のテーパ部材側のロック構造体とを別体として、互いのテーパ部材の開口端を対向するように配設する構成としてもよい。これにより、例えば、一方向側は、第一のテーパ部材側のロック構造体でロックし、他方向側は、第二のテーパ部材側のロック構造体でロックする。なお、第三のロック構造体における一体化は、ねじ構造に限らず、溶接等により接合して一体化しても構わない。
【００８０】
また、本形態の第三のロック構造体においては、シリンダをロック解除部材としても機能させた構成としたが、このように、シリンダとロック解除部材とを同一の部材としてもよいし、シリンダとは別にロック解除部材を設けてもよい。また、本形態の第三のロック構造体においては、ロック解除部材をバネにより付勢支持し、外部から力を加えなければ自動的にロック状態になる構成としたが、この態様に限定されるものではない。例えば、バネを配設せず、その都度ロックとロック解除動作を手動で行う構成としてもよい。
【図面の簡単な説明】
【００８１】
【図１】本発明の実施の形態に係るアクチュエータを有する自動車を模式的に示す斜視図である。
【図２】本発明の実施の形態に係るアクチュエータの動作前における状態を模式的に示す断面図である。
【図３】本発明の実施の形態に係るアクチュエータを動作後における状態を模式的に示す断面図である。
【図４】本発明の実施の形態に係るアクチュエータのラバー・リング及びロック・ボールを模式的に示す斜視図である。
【図５】本発明の実施の形態に係る第一のロック構造体の好ましい一例を模式的に示す断面図である。
【図６】本発明の実施の形態に係る第一のロック構造体の好ましい一例のロック解除状態を示す断面図である。
【図７】本発明の実施の形態に係る第二のロック構造体の好ましい一例を模式的に示す断面図である。
【図８】本発明の実施の形態に係る第二のロック構造体のロック状態を模式的に示す断面図である。
【図９】本発明の実施の形態に係る第二のロック構造体のロック解除状態を模式的に示す断面図である。
【図１０】本発明の実施の形態に係る第二のロック構造体を適用したレバー式水道蛇口の構造を模式的に示す側面図である。
【図１１】本発明の実施の形態に係る第三のロック構造体のロック状態を模式的に示す断面図である。
【図１２】本発明の実施の形態に係る第三のロック構造体のロック解除状態を模式的に示す断面図である。
【図１３】本発明の実施の形態に係る第三のロック構造体にロック解除レバーを装着した状態を模式的に示す断面図である。
【図１４】本発明の実施の形態に係る第三のロック構造体に装着したロック解除レバーを操作している状態を模式的に示す断面図である。
【図１５】本発明の実施の形態に係る第三のロック構造体を適用したシートリクライニング装置の構成を模式的に示す側面図である。
【図１６】本発明の実施の形態に係る第三のロック構造体を適用した別のシートリクライニング装置の構成を模式的に示す側面図である。
【符号の説明】
【００８２】
２０  第一のロック構造体、２１  第二のロック構造体、２２  第三のロック構造体
３０  操作レバー、３１  流量調整ロッド、４０  座面フレーム
４１  リクライニングロッド、４２  シートバックフレーム
１００  自動車、１０１  フード、１０２  フロントガラス、１０３  エンジンルーム
１０４  衝突検知装置、２００  アクチュエータ、２０１  第１シリンダ
２０２  第２シリンダ、２０３  第３シリンダ、２０４  ロッド、２０５  ヘッド
２０６  ガス発生器、２０７  ガス噴出空間、２０８  ロッド、２０８ａ  大径部
２０８ｂ  小径部、２０９  ロッド、２１３  ロック・ボール
２１４  ラバー・リング、２１４a  切り欠き、２１５  押し付けリング
２１６  テーパ部材、２１７  バネ、２１８  支持部材、２２１  第一のシリンダ
２２２  第一のテーパ部材、２２３  第二のシリンダ、２２４  第二のテーパ部材
２２５  バネ、２２６  ラバー・リング、２２７  ロック解除レバー
２６１  テーパ部、２６２  ストレート部、２６３  塑性部、２６６  谷底面
２６７  テーパ部材の反突出側端、２６８  段差面、２６９  テーパ部下端面
２７０  段差面
【図１】
2008260446.tif 000003
【図２】
2008260446.tif 000004
【図３】
2008260446.tif 000005
【図４】
2008260446.tif 000006
【図５】
2008260446.tif 000007
【図６】
2008260446.tif 000008
【図７】
2008260446.tif 000009
【図８】
2008260446.tif 000010
【図９】
2008260446.tif 000011
【図１０】
2008260446.tif 000012
【図１１】
2008260446.tif 000013
【図１２】
2008260446.tif 000014
【図１３】
2008260446.tif 000015
【図１４】
2008260446.tif 000016
【図１５】
2008260446.tif 000017
【図１６】
2008260446.tif 000018